(57)【要約】【課題】広い画角を有し、光学系全系が小型であるとともにフォーカスレンズ群が小型かつ軽量であり、良好なる光学性能のズームレンズを得ること。【解決手段】物体側から像側へ順に、負の屈折力の第１群、ズーム全域で合成の屈折力が正の後続群により構成され、後続群は、２枚以下のレンズで構成される正の部分群を有し、その像側に負の部分群を有し、第１群と正の部分群の間に絞りを配し、ズーミングに際し第１群と後続群の群間隔が狭まるように変化し、正の部分群と負の部分群は物体側に移動し、フォーカシングに際して正の部分群が物体側に移動し、正の部分群の焦点距離ｆｐ、後続群の焦点距離ｆＬＲ、第１群の焦点距離ｆ１、広角端における全系の焦点距離ｆｗを各々適切に設定したこと。【選択図】図１
2017219644.tif 000002
【特許請求の範囲】
【請求項１】
物体側から像側へ順に、
負の屈折力の第１レンズ群
ズーム全域において合成の屈折力が正である後続レンズ群
により構成され、
前記後続レンズ群は、
正の屈折力の部分レンズ群を有し、その像側に負の屈折力の部分レンズ群を有する
構成とし
前記負の屈折力の第１レンズ群と前記正の屈折力の部分レンズ群の間に絞りを配置し、
ズーミングに際して前記第１レンズ群と前記後続レンズ群の群間隔が変化し、
前記正の部分レンズ群と負の部分レンズ群は物体側に移動し、
フォーカシングに際して前記正の屈折力の部分レンズ群が移動する
ズームレンズにおいて、
広角端から望遠端へのズーミングに際して、前記第１レンズ群と前記後続レンズ群は双方の間隔が狭まるように移動し、
無限遠物体から近距離物体へのフォーカシングに際して、前記正の屈折力の部分レンズ群は物体側へ移動し、
前記正の屈折力の部分レンズ群は、２枚以下のレンズにて構成しており、
前記後続レンズ群の広角端の無限遠合焦時における合成の焦点距離をｆＬＲｗ
前記正の屈折力の部分レンズ群の焦点距離をｆＬｐ
前記負の屈折力の第１レンズ群の焦点距離をｆ１
光学系全系における広角端の焦点距離をｆｗ
とするとき
１．０  ＜  ｆＬｐ／ｆＬＲｗ  ＜  ６．０
１．６  ＜  ｜ｆ１｜／ｆｗ  ＜  ３．０
なる条件式を満足することを特徴とするズームレンズ。
【請求項２】
前記正の屈折力の部分レンズ群に含まれる、第ｉ番目のレンズの
空気中における焦点距離をｆｐｉ
ｄ線における屈折率をＮｄｐｉ
Ｃ線における屈折率をＮＣｐｉ
Ｆ線における屈折率をＮＦｐｉ
アッベ数をνｄｐｉ
前記正の屈折力の部分レンズ群に含まれる全てのレンズに対する和をΣ
とするとき
νｄｐｉ  ＝  （Ｎｄｐｉ−１）／（ＮＦｐｉ−ＮＣｐｉ）
０  ＜  １００＊ｆＬｐ＊Σ（１／（νｐｉ＊ｆｐｉ））  ＜  ４．０
なる条件式を満足することを特徴とする請求項１に記載のズームレンズ。
【請求項３】
０．８  ＜  ｜ｆ１｜／ｆＬＲｗ  ＜  １．５
なる条件式を満足することを特徴とする請求項１又は請求項２に記載のズームレンズ。
【請求項４】
１．０  ＜  ｆＬＲｗ／ｆｗ  ＜  ３．０
なる条件式を満足することを特徴とする請求項１乃至請求項３の何れか一項に記載のズームレンズ。
【請求項５】
前記負の屈折力の部分レンズ群の
広角端無限遠物体合焦時における結像横倍率をβｎｗ
望遠端無限遠物体合焦時における結像横倍率をβｎｔ
とするとき
１，０  ＜  βｎｔ／βｎｗ  ＜  ３．０
なる条件式を満足することを特徴とする請求項１乃至請求項４の何れか一項に記載のズームレンズ。
【請求項６】
前記正の屈折力の部分レンズ群の
最も物体側のレンズ面における曲率半径をＲｐａ
最も像側のレンズ面における曲率半径をＲｐｂ
とするとき
−６．０  ＜  （Ｒｐｂ＋Ｒｐａ）／（Ｒｐｂ−Ｒｐａ）  ＜  ０．６
なる条件式を満足することを特徴とする請求項１乃至請求項５の何れか一項に記載のズームレンズ。
【請求項７】
前記正の屈折力の部分レンズ群は１つのレンズ成分により構成される
ことを特徴とする請求項１乃至請求項６の何れか一項に記載のズームレンズ。
【発明の詳細な説明】
【技術分野】
【０００１】
本発明は、ズームレンズに関し、例えば、ビデオカメラ、デジタルスチルカメラ、ＴＶカメラ、監視用カメラ等の撮像装置に好適なズームレンズに関する。
【背景技術】
【０００２】
近年、電子撮像素子を用いたデジタルスチルカメラ、ビデオカメラ等の撮像装置においては、広い画角を有し、小型で良好なる光学性能の光学系が要望されている。さらに、センササイズを大型化することで、ぼけ表現や高感度時の画質向上など撮影領域の拡大に対応した光学系が要望されている。
【０００３】
また、レンズ一体型のデジタルスチルカメラのほか、レンズ交換式のカメラにおいて従来のクイックリターンミラーとペンタプリズム等を有する光学ファインダを廃した、所謂ノンレフレックスカメラが知られている。これらのカメラでは、撮像素子から出力される画像データのコントラストから合焦動作を行う所謂コントラスト検出ＡＦが多く採用されている。コントラスト検出ＡＦでは、フォーカスレンズ群を光軸方向に高速（例えば動画においても合焦動作に違和感を覚えないように３０フレーム／秒程度）で振動駆動し、画像のコントラストの変化から合焦位置を算出している（ウォブリング動作）。
【０００４】
このため、これらコントラスト検出ＡＦに対応した撮像レンズにおいては、とくにフォーカスレンズ群が小型、軽量であることが求められている。とくに、全系が小型で広画角化が容易なズームレンズとして、物体側に負の屈折力のレンズ群が位置し、正の後続レンズ群を有するネガティブリード型のズームレンズが知られている。ネガティブリード型のズームレンズとして、物体側から像側へ順に、負、正、正、負の屈折力のレンズ群からなり、各レンズ群間隔を変化させてズーミングを行う４群ズームレンズが知られている。
【０００５】
この４群ズームレンズにおいて、フォーカスレンズ群の小型、軽量化を実現するため、フォーカスレンズ群を第１レンズ群以外に配置し、インナーフォーカス方式を用いた４群ズームレンズが知られている（特許文献１）。特許文献１は、第３レンズ群でフォーカシングを行う４群ズームレンズを開示している。
【先行技術文献】
【特許文献】
【０００６】
【特許文献１】特開２０１０−１４５４６６号公報
【発明の概要】
【発明が解決しようとする課題】
【０００７】
前述したネガティブリード型のズームレンズにおいて、広い画角を有しつつ光学系全系の小型化と高画質化を両立し、フォーカス群を小型、軽量化を実現するためには、各レンズ群のズームレンズ群内での配置やレンズ構成、屈折力等を適切に設定することが重要になってくる。
【０００８】
例えば第１レンズ群、後続レンズ群、フォーカスレンズ群の屈折力等を適切に設定すること、後続レンズ群内での部分レンズ群の配置を最適化すること、が重要である。これらの構成が不適切であると、広い画角を有する光学系において、光学系全系の小型化とフォーカス群の小型軽量化を図りつつ、高い光学性能を得るのが大変困難になってくる。
【０００９】
特許文献１には、撮影半画角４４°程度、ズーム比５程度のネガティブリード型ズームレンズが開示されている。特許文献１に開示されているズームレンズは、１／２．３型程度（半像高３．８３ｍｍ）の小型のセンサに対応したデジタルカメラ向けの光学系である。また、最終群に固定の負レンズ群を配置することで像面彎曲を補正し、第３レンズ群でフォーカス可能な構成としている。更なる撮影領域拡大のため、特許文献１に開示されているズームレンズのセンササイズ（レンズのイメージサイズ）を大型化し、更なる広角化を実現しようとした場合、各レンズ群の屈折力を適切に再配置しないと光学系全系が大型化してしまう。
【００１０】
また、フォーカス群の像側に配置される負レンズ群は像面近傍に固定された負レンズ群であるため、レンズ径が大型化するとともに、ズームレンズの変倍、諸収差のズーム変動の積極的な補正には寄与しない。また、最終レンズ群の像面近傍に固定の負レンズ群を配置する構成では、広角端における射出瞳位置がより物体側に位置するため、電子撮像素子への軸外光束の入射角がきつくなりすぎ、輝度や色のシェーディングの補正がより困難となるので好ましくない。
【００１１】
本発明は、広い画角を有し、光学系全系が小型であるとともにフォーカスレンズ群が小型かつ軽量であり、良好なる光学性能のズームレンズを提供することを目的とする。
【課題を解決するための手段】
【００１２】
上記の目的を達成するために、本発明に係るズームレンズは、
物体側から像側へ順に、負の屈折力の第１レンズ群、ズーム全域において合成の屈折力が正である後続レンズ群により構成され、前記後続レンズ群は、正の屈折力の部分レンズ群を有し、その像側に負の屈折力の部分レンズ群を有する構成とし、前記負の屈折力の第１レンズ群と前記正の屈折力の部分レンズ群の間に絞りを配置し、ズーミングに際して前記第１レンズ群と前記後続レンズ群の群間隔が変化し、前記正の部分レンズ群と負の部分レンズ群は物体側に移動し、フォーカシングに際して前記正の屈折力の部分レンズ群が移動するズームレンズにおいて、
広角端から望遠端へのズーミングに際して、前記第１レンズ群と前記後続レンズ群は双方の間隔が狭まるように移動し、無限遠物体から近距離物体へのフォーカシングに際して、前記正の屈折力の部分レンズ群は物体側へ移動し、前記正の屈折力の部分レンズ群は、２枚以下のレンズにて構成しており、前記後続レンズ群の広角端の無限遠合焦時における合成の焦点距離をｆＬＲｗ、前記正の屈折力の部分レンズ群の焦点距離をｆＬｐ、前記負の屈折力の第１レンズ群の焦点距離をｆ１、光学系全系における広角端の焦点距離をｆｗとするとき、
１．０  ＜  ｆＬｐ／ｆＬＲｗ  ＜  ６．０
１．６  ＜  ｜ｆ１｜／ｆｗ  ＜  ３．０
なる条件式を満足することを特徴とする。
【発明の効果】
【００１３】
本発明によれば、広い画角を有し、光学系全系が小型であるとともにフォーカスレンズ群が小型かつ軽量であり、良好なる光学性能のズームレンズが得られる。
【図面の簡単な説明】
【００１４】
【図１】実施例１の広角端におけるレンズ断面図
【図２】（Ａ）、（Ｂ）、（Ｃ）  実施例１の無限遠物体に合焦しているときの広角端、中間のズーム位置、望遠端における縦収差図
【図３】（Ａ）、（Ｂ）、（Ｃ）  実施例１の有限距離物体に合焦しているときの広角端、中間のズーム位置、望遠端における縦収差図
【図４】実施例２の広角端におけるレンズ断面図
【図５】（Ａ）、（Ｂ）、（Ｃ）  実施例２の無限遠物体に合焦しているときの広角端、中間のズーム位置、望遠端における縦収差図
【図６】（Ａ）、（Ｂ）、（Ｃ）  実施例２の有限距離物体に合焦しているときの広角端、中間のズーム位置、望遠端における縦収差図
【図７】実施例３の広角端におけるレンズ断面図
【図８】（Ａ）、（Ｂ）、（Ｃ）  実施例３の無限遠物体に合焦しているときの広角端、中間のズーム位置、望遠端における縦収差図
【図９】（Ａ）、（Ｂ）、（Ｃ）  実施例３の有限距離物体に合焦しているときの広角端、中間のズーム位置、望遠端における縦収差図
【図１０】実施例４の広角端におけるレンズ断面図
【図１１】（Ａ）、（Ｂ）、（Ｃ）  実施例４の無限遠物体に合焦しているときの広角端、中間のズーム位置、望遠端における縦収差図
【図１２】（Ａ）、（Ｂ）、（Ｃ）  実施例４の有限距離物体に合焦しているときの広角端、中間のズーム位置、望遠端における縦収差図
【図１３】実施例５の広角端におけるレンズ断面図
【図１４】（Ａ）、（Ｂ）、（Ｃ）  実施例５の無限遠物体に合焦しているときの広角端、中間のズーム位置、望遠端における縦収差図
【図１５】（Ａ）、（Ｂ）、（Ｃ）  実施例５の有限距離物体に合焦しているときの広角端、中間のズーム位置、望遠端における縦収差図
【図１６】実施例６の広角端におけるレンズ断面図
【図１７】（Ａ）、（Ｂ）、（Ｃ）  実施例６の無限遠物体に合焦しているときの広角端、中間のズーム位置、望遠端における縦収差図
【図１８】（Ａ）、（Ｂ）、（Ｃ）  実施例６の有限距離物体に合焦しているときの広角端、中間のズーム位置、望遠端における縦収差図
【発明を実施するための形態】
【００１５】
以下に、本発明の好ましい実施の形態を、添付の図面に基づいて詳細に説明する。
【００１６】
本発明のズームレンズは、物体側から像側へ順に、負の屈折力の第１レンズ群Ｌ１、ズーム全域で合成の焦点距離が正の屈折力の後続レンズ群ＬＲにて構成している。また、後続レンズ群ＬＲは、正の屈折力の部分レンズ群Ｌｐを有し、その像側に負の屈折力の部分レンズ群Ｌｎを有する構成としている。ここで、正の屈折力の部分レンズ群Ｌｐは２枚以下のレンズで構成している。絞りＳＳは、第１レンズ群Ｌ１と部分レンズ群Ｌｐの間に配置している。
【００１７】
ズーミングに際しては、第１レンズ群Ｌ１と後続レンズ群ＬＲの群間隔が変化し、無限遠物体から近距離物体へのフォーカシングに際して部分レンズ群Ｌｐが物体側に移動する。また、広角端から望遠端へのズーミングに際して、第１レンズ群Ｌ１と後続レンズ群ＬＲは双方の間隔が狭まるように移動する。また、広角端から望遠端へのズーミングに際して部分レンズ群Ｌｐ、部分レンズ群Ｌｎは物体側に移動する。
【００１８】
図１は本発明の実施例１のズームレンズの広角端（短焦点距離端）におけるレンズ断面図である。図２（Ａ）、（Ｂ）、（Ｃ）はそれぞれ実施例１のズームレンズの無限遠物体に合焦時の広角端、中間のズーム位置、望遠端（長焦点距離端）における縦収差図である。図３（Ａ）、（Ｂ）、（Ｃ）はそれぞれ実施例１のズームレンズの有限距離物体に合焦時の広角端、中間のズーム位置、望遠端における縦収差図である。
【００１９】
図４は本発明の実施例２のズームレンズの広角端におけるレンズ断面図である。図５（Ａ）、（Ｂ）、（Ｃ）はそれぞれ実施例２のズームレンズの無限遠物体に合焦時の広角端、中間のズーム位置、望遠端における縦収差図である。図６（Ａ）、（Ｂ）、（Ｃ）はそれぞれ実施例２のズームレンズの有限距離物体に合焦時の広角端、中間のズーム位置、望遠端における縦収差図である。
【００２０】
図７は本発明の実施例３のズームレンズの広角端におけるレンズ断面図である。図８（Ａ）、（Ｂ）、（Ｃ）はそれぞれ実施例３のズームレンズの無限遠物体に合焦時の広角端、中間のズーム位置、望遠端における縦収差図である。図９（Ａ）、（Ｂ）、（Ｃ）はそれぞれ実施例３のズームレンズの有限距離物体に合焦時の広角端、中間のズーム位置、望遠端における縦収差図である。
【００２１】
図１０は本発明の実施例４のズームレンズの広角端におけるレンズ断面図である。図１１（Ａ）、（Ｂ）、（Ｃ）はそれぞれ実施例４のズームレンズの無限遠物体に合焦時の広角端、中間のズーム位置、望遠端における縦収差図である。図１２（Ａ）、（Ｂ）、（Ｃ）はそれぞれ実施例４のズームレンズの有限距離物体に合焦時の広角端、中間のズーム位置、望遠端における縦収差図である。
【００２２】
図１３は本発明の実施例５のズームレンズの広角端におけるレンズ断面図である。図１４（Ａ）、（Ｂ）、（Ｃ）はそれぞれ実施例５のズームレンズの無限遠物体に合焦時の広角端、中間のズーム位置、望遠端における縦収差図である。図１５（Ａ）、（Ｂ）、（Ｃ）はそれぞれ実施例５のズームレンズの有限距離物体に合焦時の広角端、中間のズーム位置、望遠端における縦収差図である。
【００２３】
図１６は本発明の実施例６のズームレンズの広角端におけるレンズ断面図である。図１７（Ａ）、（Ｂ）、（Ｃ）はそれぞれ実施例６のズームレンズの無限遠物体に合焦時の広角端、中間のズーム位置、望遠端における縦収差図である。図１８（Ａ）、（Ｂ）、（Ｃ）はそれぞれ実施例６のズームレンズの有限距離物体に合焦時の広角端、中間のズーム位置、望遠端における縦収差図である。
【００２４】
実施例１乃至６は、それぞれ後述する数値実施例１乃至６に対応する。各レンズ断面図において、Ｌ１は負の屈折力の第１レンズ群、ＬＲはズーム全域において正の屈折力を有する後続レンズ群、Ｌｐは後続レンズ群に属する正の屈折力の部分レンズ群、Ｌｎは後続レンズ群に属する負の屈折力の部分レンズ群である。また、各レンズ断面図において、左方が物体側（前方）で、右方が像側（後方）である。物体側から像側へ順に、第１レンズ群Ｌ１、後続レンズ群ＬＲが配置され、後続レンズ群ＬＲは正の部分レンズ群Ｌｐを有し、その像側に負の部分レンズ群Ｌｎが配置されている。
【００２５】
ＳＳは開口絞りであり、第１レンズ群Ｌ１と正の部分レンズ群Ｌｐの間に配置されている。無限遠物体から近距離物体へのフォーカシングに際し、正の部分レンズ群Ｌｐを光軸上で駆動する構成としている。ＩＰはＣＣＤセンサやＣＭＯＳセンサなどの固体撮像素子（光電変換素子）の撮像面に相当する像面である。
【００２６】
矢印は無限遠物体合焦時における広角端から望遠端へのズーミングに際して、各レンズ群の移動軌跡を示している。縦収差図において、ｄ-line、ｇ-lineは各々ｄ線及びｇ線、ΔＭ、ΔＳはメリディオナル像面、サジタル像面である。倍率色収差はｇ線によって表している。ωは撮影半画角（度）、ＦｎｏはＦナンバーである。
【００２７】
本発明のズームレンズは物体側から像側へ順に、負の屈折力の第１レンズ群Ｌ１、正の屈折力の後続レンズ群ＬＲにて構成している。負の屈折力のレンズ群が先行するネガティブリード型のズームレンズを採用することで、広画角化を図りつつ、全系の小型化を容易にしている。また、後続レンズ群ＬＲの中に、２枚以下のレンズにて構成され正の屈折力を有する部分レンズ群Ｌｐ、負の屈折力を有する部分レンズ群Ｌｎを配している。
【００２８】
ここで、単レンズのほか、主たる屈折力を有するガラス母材に薄い非球面の樹脂層を接合した複合非球面も１枚のレンズと数えることとする。無限遠距離物体から有限距離物体へのフォーカシング（合焦）に際し、後続レンズ群ＬＲに属する正の部分レンズ群Ｌｐを光軸上で駆動する構成としている。これによれば、外径が小型な後続レンズ群中において、構成枚数が２枚以下と少なく軽量な正の部分レンズ群Ｌｐをフォーカスレンズ群とすることで、迅速な合焦動作を容易にしている。また、フォーカス群の像側に負の部分レンズ群Ｌｎを配するインナーフォーカス方式を採用している。
【００２９】
これによれば、特に本発明のズームレンズを交換レンズとして用いる場合、外部からの接触が可能な最終レンズ群はフォーカシング時に固定となるため、フォーカス群の駆動機構の耐圧など鏡筒構造上有利な構成となる。また、広角端から望遠端への変倍に際し、部分レンズ群Ｌｐの像側に部分レンズ群Ｌｎを配し、ともに物体側に移動している。これによれば、望遠端で前記部分レンズ群を物体側に配置することで、フォーカスレンズ群を含めてレンズ径方向の増大を抑制するとともに、部分レンズ群Ｌｎにて変倍作用を分担することで、光学系全系の小型化し、ズーム全域で良好な光学性能を得ている。
【００３０】
また、第１レンズ群Ｌ１と部分レンズ群Ｌｐの間に絞りＳＳを配置している。これによれば、光学系広角化による前玉径の増大を抑制するとともに、後玉径とのバランスをとり、光学系全系の小型化を実現している。また、各実施例のズームレンズは、以下の条件式を満足することを特徴としている。
【００３１】
前記後続レンズ群の広角端の無限遠合焦時における合成の焦点距離をｆＬＲｗ、前記正の屈折力の部分レンズ群の焦点距離をｆＬｐ、前記負の屈折力の第１レンズ群の焦点距離をｆ１、光学系全系における広角端の焦点距離をｆｗとする。このとき
１．０  ＜  ｆＬｐ／ｆＬＲｗ  ＜  ６．０    ・・・（１）
１．６  ＜  ｜ｆ１｜／ｆｗ  ＜  ３．０    ・・・（２）
なる条件式を満足している。
【００３２】
条件式（１）は、フォーカスレンズ群Ｌｐと後続レンズ群ＬＲの広角端の無限遠合焦時における屈折力のバランスを規定し、フォーカス群の小型化に関する条件式である。本発明のズームレンズでは、フォーカスレンズ群Ｌｐと後続レンズ群ＬＲの屈折力を最適化することで、ズーム全域において良好なフォーカス性能を実現している。
【００３３】
条件式（１）の下限を超えると、フォーカスレンズ群Ｌｐの焦点距離が後続レンズ群ＬＲ比して短くなりすぎる。この場合、無限遠物体から近距離物体へのフォーカシングに際し、広角端における像面彎曲変動、望遠端における球面収差変動が増大してしまう。
【００３４】
一方、上限を超えると、フォーカスレンズ群Ｌｐの焦点距離が後続レンズ群ＬＲ比して長くなりすぎる。この場合、フォーカスレンズ群の敏感度が低くなり、無限遠物体から近距離物体へのフォーカシングに際し、フォーカスレンズ群の移動量が増大しすぎ、光学系全系が大型化してしまうのでよくない。
【００３５】
条件式（２）は、第１レンズ群Ｌ１の焦点距離と光学系全系の広角端における焦点距離の比を規定している。第１レンズ群Ｌ１の焦点距離と光学系全系の広角端における焦点距離の比を適切な範囲とすることで、広い画角を有する光学系において光学系全系の小型化と高性能化の両立を実現している。
【００３６】
条件式（２）の下限を超えると、第１レンズ群Ｌ１の焦点距離が光学系全系の広角端における焦点距離と比して短くなりすぎる。この場合、光学性能を維持したままの光学系の広画角化が困難となる。とくに、広角端における像面彎曲の補正が困難となる。
【００３７】
一方、上限を超えると、第１レンズ群Ｌ１の焦点距離が光学系全系の広角端における焦点距離と比して長くなりすぎる。この場合、光学系全系が大型化することで、とくに広い  画角を有する光学系においては、前玉径が増大しすぎてしまうためよくない。
【００３８】
各実施例では上記のように各屈折力のレンズ群を配置し、条件式（１）と条件式（２）を同時に満足する構成としている。これにより、広い画角を有し、光学系全系が小型であるとともにフォーカスレンズ群が小型かつ軽量であり、良好なる光学性能のズームレンズを得ている。
【００３９】
各実施例において、より好ましくは、条件式（１）、条件式（２）の数値範囲を次の如く設定するのが良い。
１．１  ＜  ｆＬｐ／ｆＬＲｗ  ＜  ５．７    ・・・（１ａ）
１．７  ＜  ｜ｆ１｜／ｆｗ  ＜  ２．７    ・・・（２ａ）
各実施例において、さらに好ましくは、条件式（１ａ）、条件式（２ａ）の数値範囲を次の如設定するのが良い。
１．２  ＜  ｆＬｐ／ｆＬＲｗ  ＜  ５．４    ・・・（１ｂ）
１．７５  ＜  ｜ｆ１｜／ｆｗ  ＜  ２．５    ・・・（２ｂ）
次に各実施例において、更に好ましい構成について説明する。各実施例において、フォーカスレンズ群である正の屈折力の部分レンズ群Ｌｐに含まれる、第ｉ番目のレンズの空気中における焦点距離をｆｐｉ、ｄ線における屈折率をＮｄｐｉ、Ｃ線における屈折率をＮＣｐｉ、Ｆ線における屈折率をＮＦｐｉ、アッベ数をνｄｐｉ、部分レンズ群Ｌｐに含まれる全てのレンズに対する和をΣとする。
【００４０】
また、後続レンズ群ＬＲに属する負の屈折力の部分レンズ群Ｌｎの広角端無限遠物体合焦時における結像横倍率をβｎｗ、望遠端無限遠物体合焦時における結像横倍率をβｎｔ、とする。また、フォーカスレンズ群である正の屈折力の部分レンズ群Ｌｐの最も物体側のレンズ面における曲率半径をＲｐａ、最も像側のレンズ面における曲率半径をＲｐｂ、とする。
【００４１】
このとき、以下の条件式のうち１以上を満足するのが良い。
【００４２】
νｄｐｉ  ＝  （Ｎｄｐｉ−１）／（ＮＦｐｉ−ＮＣｐｉ）
０  ＜  １００＊ｆＬｐ＊Σ（１／（νｐｉ＊ｆｐｉ））  ＜  ４．０    ・・・（３）
０．８  ＜  ｜ｆ１｜／ｆＬＲｗ  ＜  １．５    ・・・（４）
１．０  ＜  ｆＬＲｗ／ｆｗ  ＜  ３．０    ・・・（５）
１，０  ＜  βｎｔ／βｎｗ  ＜  ３．０    ・・・（６）
−０．６  ＜  （Ｒｐｂ＋Ｒｐａ）／（Ｒｐｂ−Ｒｐａ）  ＜  ６．０    ・・・（７）
次に前述した各条件式の技術的意味について説明する。条件式（３）は、フォーカスレンズ群Ｌｐで発生する色収差量を規定している。絞りより像側に配置された、正の屈折力のフォーカスレンズ群Ｌｐについて条件式（３）を満たすように配置することで、無限遠合焦時における光学系全系の広角端での倍率色収差の補正と近距離物体へのフォーカシングによる倍率色収差変動の補正を両立している。
【００４３】
条件式（３）の下限は、色収差の発生が無い領域、若しくは２枚以下といった少ない枚数の屈折光学系では実現困難な領域である。ここで、無理に下限値を超える状態を実現しようとした場合、フォーカスレンズ群で発生する単色収差補正との両立が困難となり、とくに望遠端における球面収差のフォーカス変動が大きく生じてしまう。
【００４４】
一方、上限を超えると、フォーカスレンズ群で発生する色収差が大きくなりすぎ、とくに広角端における倍率色収差のフォーカス変動が大きく生じてしまうのでよくない。条件式（４）は、第１レンズ群Ｌ１と後続レンズ群ＬＲの広角端の無限遠合焦時における屈折力のバランスを規定している。本発明のズームレンズでは、負の屈折力の第１レンズ群Ｌ１と合成の焦点距離が正の後続レンズ群ＬＲからなる２群ズームレンズを基本的な構成としている。この場合、第１レンズ群Ｌ１と後続レンズ群ＬＲの屈折力のバランスを最適化することで、広い画角を有する光学系において光学系小型化と高性能化を両立している。
【００４５】
条件式（４）の下限を超えると、第１レンズ群Ｌ１の焦点距離が後続レンズ群ＬＲ比して短くなりすぎる。この場合、広角端において像面彎曲の補正が困難となる。若しくは、後続レンズ群ＬＲの焦点距離が第１レンズ群Ｌ１の焦点距離と比して長い構成をとるため、光学系の全系が大型化してしまう。
【００４６】
一方、上限を超えると、第１レンズ群Ｌ１の焦点距離が後続レンズ群ＬＲ比して長くなりすぎる。この場合、とくに広い画角を有する光学系においては前玉径が増大してしまう。若しくは、後続レンズ群ＬＲの焦点距離が第１レンズ群Ｌ１の焦点距離と比して短い構成をとるため、とくに球面収差、コマ収差のズーム変動の補正が困難となるのでよくない。
【００４７】
条件式（５）は、後続レンズ群ＬＲの焦点距離と光学系全系の広角端における焦点距離の比を規定している。後続レンズ群ＬＲの焦点距離と光学系全系の広角端における焦点距離の比を適切な範囲とすることで、光学系全系の小型化と高性能化の両立を実現している。条件式（５）の下限を超えると、後続レンズ群ＬＲの焦点距離が光学系全系の広角端における焦点距離と比して短くなりすぎる。この場合、とくに球面収差とコマ収差のズーム変動の補正が困難となる。
【００４８】
一方、上限を超えると、後続レンズ群ＬＲの焦点距離が光学系全系の広角端における焦点距離と比して長くなりすぎる。この場合、変倍のための各レンズ群の移動量が増大することで光学系全系が大型化してしまうためよくない。
【００４９】
条件式（６）は、後続レンズ群に属する負の屈折力の部分群Ｌｎの変倍分担量を規定している。部分レンズ群Ｌｎに適切な変倍作用を分担することで、光学系小型化と高性能化を実現している。条件式（６）の下限を超えると、部分レンズ群Ｌｎは変倍機能を有さない、若しくは減倍作用を有する構成となる。この場合、他の変倍レンズ群の変倍分担量が増大する構成となるため、諸収差のズーム変動の抑制が困難となる、若しくは、変倍レンズ群の移動量が増大し光学系が大型化してしまう。
【００５０】
一方、上限を超えると、部分レンズ群Ｌｎの変倍分担量が大きくなりすぎる。このとき、部分レンズ群Ｌｎの構成枚数が増大したり、変倍時のレンズ群の移動量が増大しすぎたりすることで光学系が大型化してしまう。若しくは、負の屈折力の部分レンズ群Ｌｎと、第１レンズ群Ｌ１で生じる収差の打ち消しのバランスが崩れ、とくに像面彎曲のズーム変動の補正が困難となるのでよくない。
【００５１】
条件式（７）は、フォーカスレンズ群Ｌｐの形状を規定した条件式である。フォーカスレンズ群の形状を最適化することで、フォーカシングによる収差変動を良好に補正している。条件式（７）の上下限いずれを超えた場合も、フォーカスレンズ群Ｌｐの物体側面と像側面で生じる球面収差のバランスが崩れてしまう。この場合、無限遠物体から近距離物体へのフォーカシングに際し、広角端においては像面彎曲、望遠端においては球面収差のフォーカス変動の補正が困難となるのでよくない。
【００５２】
各実施例において、より好ましくは条件式（３）乃至（７）の数値範囲を以下の範囲とするのがよい。
０．２  ＜  １００＊ｆＬｐ＊Σ（１／（νｐｉ＊ｆｐｉ））  ＜  ３．０
・・・（３ａ）
０．９  ＜  ｜ｆ１｜／ｆＬＲｗ  ＜  １．４    ・・・（４ａ）
１．３  ＜  ｆＬＲｗ／ｆｗ  ＜  ２．６    ・・・（５ａ）
１．０  ＜  βｎｔ／βｎｗ  ＜  ２．０    ・・・（６ａ）
−５．０  ＜  （Ｒｐｂ＋Ｒｐａ）／（Ｒｐｂ−Ｒｐａ）  ＜  ０．５
・・・（７ａ）
各実施例において、さらに好ましくは条件式（３ａ）乃至（７ａ）の数値範囲を以下の範囲とするのがよい。
０．４  ＜  １００＊ｆＬｐ＊Σ（１／（νｐｉ＊ｆｐｉ））  ＜  ２．０
・・・（３ｂ）
０．９５  ＜  ｜ｆ１｜／ｆＬＲｗ  ＜  １．３    ・・・（４ｂ）
１．５  ＜  ｆＬＲｗ／ｆｗ  ＜  ２．３    ・・・（５ｂ）
１．０  ＜  βｎｔ／βｎｗ  ＜  １．７    ・・・（６ｂ）
−４．０  ＜  （Ｒｐｂ＋Ｒｐａ）／（Ｒｐｂ−Ｒｐａ）  ＜  ０．４５
・・・（７ｂ）
また、各実施例において、フォーカスレンズ群Ｌｐは１つのレンズ成分にて構成している。ここでレンズ成分とは、空気との接触界面が２面である状態を指し、単レンズ若しくは接合レンズレンズを意味している。フォーカスレンズ群Ｌｐを１成分で構成することによりレンズ群を軽量化し、駆動アクチュエータへの負荷を軽減することで迅速な合焦と鏡筒構造の小型化を実現している。
【００５３】
以上のように各実施例によれば、広い画角を有し、光学系全系が小型であるとともにフォーカスレンズ群が小型かつ軽量であり、良好なる光学性能のズームレンズを得ることができる。
【００５４】
［実施例１］
以下、図１を参照して、本発明の実施例１のズームレンズについて説明する。図１の実施例１は物体側から像側へ順に、負、正の屈折力のレンズ群よりなる２群ズームレンズである。
【００５５】
図１の実施例１では、広角端から望遠端へのズーミングに際し、第１レンズ群Ｌ１と第２レンズ群Ｌ２は、双方の間隔が狭まるように移動している。ここで、第２レンズ群Ｌ２は変倍レンズ群であり、物体側に移動することで変倍している。また、第１レンズ群Ｌ１は像側に凸状の軌跡で移動することでズーミングに伴う像面変動を補正している。
【００５６】
ここで、後続レンズ群ＬＲは第２レンズ群Ｌ２であり、第２レンズ群Ｌ２の部分群として正の部分群Ｌｐ、負の部分群Ｌｎを順に配置している。開口絞りＳＳは第２レンズ群Ｌ２の内部に配置し、ズーミングに際して第２レンズ群Ｌ２と一体（同一の軌跡）で移動している。
【００５７】
無限遠物体から有限距離物体へのフォーカシングは、正の部分群Ｌｐを物体側へ移動するインナーフォーカス方式を用いている。ここで、正の部分群Ｌｐは正の非球面レンズ１枚で構成している。有効径が小さく軽量な第３レンズ群Ｌ３をフォーカスレンズ群とすることで、迅速な合焦動作を容易にしている。
【００５８】
［実施例２］
以下、図４を参照して、本発明の実施例２のズームレンズについて説明する。図４の実施例２は物体側から像側へ順に、負、正、負の屈折力のレンズ群よりなる３群ズームレンズである。
【００５９】
図４の実施例２において、後続レンズ群ＬＲは第２レンズ群Ｌ２と第３レンズ群Ｌ３にて構成している。図４の実施例２では、広角端から望遠端へのズーミングに際し、第１レンズ群Ｌ１と後続レンズ群ＬＲは、双方の間隔が狭まるように移動している。ここで、第２レンズ群Ｌ２、  第３レンズ群Ｌ３は変倍レンズ群であり、物体側に独立に移動することで変倍している。また、第１レンズ群Ｌ１は像側に凸状の軌跡で移動することでズーミングに伴う像面変動を補正している。
【００６０】
ここで、後続レンズ群ＬＲに属する第３レンズ群Ｌ３の部分群として正の部分群Ｌｐ、負の部分群Ｌｎを順に配置している。ここで、正の部分群Ｌｐは正の球面レンズ１枚で構成している。
【００６１】
開口絞りＳＳは第２レンズ群Ｌ２の内部に配置し、ズーミングに際して第２レンズ群Ｌ２と一体（同一の軌跡）で移動している。無限遠物体から有限距離物体へのフォーカシング方式とその効果は図１の実施例１と同様である。
【００６２】
［実施例３］
以下、図７を参照して、本発明の実施例３のズームレンズについて説明する。
【００６３】
図７の実施例３のズームレンズのズームタイプ、絞り位置、フォーカス方式等は図４の実施例２と同じである。実施例３は実施例２と比較して、各レンズ群の構成が異なっている。とくに、正の部分群Ｌｐは物体側から順に負レンズと正の球面レンズの接合レンズにて構成している。
【００６４】
［実施例４］
以下、図１０を参照して、本発明の実施例４のズームレンズについて説明する。
【００６５】
図１０の実施例４のズームレンズのズームタイプ、絞り位置、フォーカス方式等は図４の実施例２と同じである。実施例４は実施例２と比較して、各レンズ群の構成が異なっている。後続レンズ群ＬＲに属する第２レンズ群Ｌ２の部分群として正の部分群Ｌｐ、第３レンズ群Ｌ３として負の部分群Ｌｎを順に配置している。ここで、正の部分群Ｌｐは正の球面レンズ１枚で構成している。
【００６６】
［実施例５］
以下、図１３を参照して、本発明の実施例５のズームレンズについて説明する。
【００６７】
図１３の実施例５は物体側から像側へ順に、負、正、正、負の屈折力のレンズ群よりなる４群ズームレンズである。
【００６８】
図１３の実施例５において、後続レンズ群ＬＲは第２レンズ群Ｌ２、第３レンズ群Ｌ３、第４レンズ群Ｌ４にて構成している。図１３の実施例５では、広角端から望遠端へのズーミングに際し、第１レンズ群Ｌ１と後続レンズ群ＬＲは、双方の間隔が狭まるように移動している。ここで、第２レンズ群Ｌ２、第３レンズ群Ｌ３、第４レンズ群Ｌ４は変倍レンズ群であり、物体側に独立に移動することで変倍している。また、第１レンズ群Ｌ１は像側に移動することでズーミングに伴う像面変動を補正している。
【００６９】
ここで、後続レンズ群ＬＲに属する第３レンズ群Ｌ３として正の部分群Ｌｐ、第４レンズ群Ｌ４として負の部分群Ｌｎを順に配置している。ここで、正の部分群Ｌｐは正の非球面レンズ１枚で構成している。
【００７０】
開口絞りＳＳは第２レンズ群Ｌ２の像側に配置し、ズーミングに際して第２レンズ群Ｌ２と一体（同一の軌跡）で移動している。また、実施例５では、第２レンズ群と第４レンズ群を変倍時に一体で移動する構成とすることで、鏡筒構造の簡素化を実現し、鏡筒を含めたレンズ全系の小型化を実現できる構成としている。無限遠物体から有限距離物体へのフォーカシング方式とその効果は図１の実施例１と同様である。
【００７１】
［実施例６］
以下、図１６を参照して、本発明の実施例６のズームレンズについて説明する。
【００７２】
図１６の実施例６は物体側から像側へ順に、負、正、負、正の屈折力のレンズ群よりなる４群ズームレンズである。図１６の実施例６において、後続レンズ群ＬＲは第２レンズ群Ｌ２、第３レンズ群Ｌ３、第４レンズ群Ｌ４にて構成している。
【００７３】
図１６の実施例６では、広角端から望遠端へのズーミングに際し、第１レンズ群Ｌ１と後続レンズ群ＬＲは、双方の間隔が狭まるように移動している。ここで、第２レンズ群Ｌ２と第３レンズ群Ｌ３は変倍レンズ群であり、物体側に独立に移動することで変倍している。第４レンズ群Ｌ４は変倍時に固定であり、主に射出瞳位置を調整する作用を分担し、特に広角端における射出瞳位置を像面から遠ざけることで、軸外光束の撮像面ＩＰへの入射角度を緩和している。また、第１レンズ群Ｌ１は像側に凸状の軌跡移動することでズーミングに伴う像面変動を補正している。
【００７４】
ここで、後続レンズ群ＬＲに属する第３レンズ群Ｌ３の部分群として正の部分群Ｌｐ、負の部分群Ｌｎを順に配置している。ここで、正の部分群Ｌｐは正の非球面レンズ１枚で構成している。開口絞りＳＳは第２レンズ群Ｌ２の物体側に配置し、ズーミングに際して第２レンズ群Ｌ２と一体（同一の軌跡）で移動している。無限遠物体から有限距離物体へのフォーカシング方式とその効果は図１の実施例１と同様である。
【００７５】
以上、いずれの実施例においても、物体側から像側へ順に、負の屈折力の第１レンズ群Ｌ１、ズーム全域で合成の焦点距離が正の屈折力の後続レンズ群ＬＲにて構成している。また、後続レンズ群ＬＲは、正の屈折力の部分レンズ群Ｌｐを有し、その像側に負の屈折力の部分レンズ群Ｌｎを有する構成としている。
【００７６】
ここで、正の屈折力の部分レンズ群Ｌｐは２枚以下のレンズで構成している。絞りＳＳは、第１レンズ群Ｌ１と部分レンズ群Ｌｐの間に配置している。  ズーミングに際しては、第１レンズ群Ｌ１と後続レンズ群ＬＲの群間隔が変化し、無限遠物体から近距離物体へのフォーカシングに際して部分レンズ群Ｌｐが物体側に移動する。また、広角端から望遠端へのズーミングに際して、第１レンズ群Ｌ１と後続レンズ群ＬＲは双方の間隔が狭まるように移動する。また、広角端から望遠端へのズーミングに際して部分レンズ群Ｌｐ、部分レンズ群Ｌｎは物体側に移動する。
【００７７】
また、いずれの実施例においても条件式（１）、条件式（２）を同時に満たす屈折力配置としている。これにより、広い画角を有し、光学系全系が小型であるとともにフォーカスレンズ群が小型かつ軽量であり、良好なる光学性能のズームレンズを実現している。
【００７８】
以上、本発明の好ましい実施形態について説明したが、本発明はこれらの実施形態に限定されず、その要旨の範囲内で種々の変形及び変更が可能である。例えば、各実施例のズームレンズにおいて、ズーミングに際してＦナンバーの変動を制御するため、ズーム位置に応じて開口絞り径を変化させるような制御を行ってもよい。また、ズームレンズに残存する歪曲収差は、たとえば公知の手法を用いることで電気的に補正（画像処理での補正）しても良い。
【００７９】
ここで、手ぶれの補正に際しては、第２レンズ群Ｌ２全体、若しくは、第２レンズ群Ｌ２の一部を光軸に対して垂直方向の成分を持つ方向に移動することで行うのが好ましい。      
【００８０】
次に、本発明の数値実施例を示す。各数値実施例において、ｉは物体側からの面の順序を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数を示す。＊は非球面であることを示す。また、最も像側の４面はフェースプレート等のガラス材である。また、ｋ、Ａ４、Ａ６、Ａ８、Ａ１０は非球面係数である。
【００８１】
非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４・ｈ4＋Ａ６・ｈ6＋Ａ８・ｈ8＋Ａ１０・ｈ10
で表される。但しＲは近軸曲率半径である。
【００８２】
尚、バックフォーカスＢＦは最終面からの距離で表している。又、前述の各条件式と各数値実施例との関係を表１に示す。
（数値実施例１）
単位 mm
面データ
面番号       r        d      nd         vd       有効径
1         29.759    1.80   1.88300    40.8       40.10
2         16.113    8.70                         30.16
3         69.244    1.80   1.76802    49.2       30.23
4*        16.535    5.20                         26.05
5         22.949    3.75   1.92286    20.9       25.86
6         40.373  (可変)                         24.75
7*        19.857    2.90   1.76802    49.2       10.52
8        -31.273    0.80   1.69895    30.1        9.84
9         20.039    0.60                          9.16
10         20.949    1.90   1.48749    70.2        8.97
11        -61.968    1.55                          8.49
12(絞り)    ∞       4.90                          8.30
13       -442.976    2.15   1.48749    70.2        9.63
14        -20.469    7.46                         10.14
15        -71.727    1.75   1.55332    71.7       13.40
16*       -19.902    1.70                         13.73
17        -13.530    1.20   1.88300    40.8       13.92
18        -45.172  (可変)                         15.54
像面        ∞   
非球面データ
第4面
K = 0.00000e+000  A 4=-1.13985e-005  A 6=-6.87346e-008  A 8= 1.33173e-010  A10=-1.87774e-012  
第7面
K = 0.00000e+000  A 4=-3.52643e-005  A 6= 9.87863e-008  A 8=-8.09182e-009  A10= 9.13583e-011  
第16面
K =-9.84358e-001  A 4= 4.01162e-005  A 6=-6.52179e-008  A 8= 5.63754e-009  
各種データ
ズーム比      2.65 
広角     中間     望遠
焦点距離      11.59    21.13    30.68  
Fナンバー      3.50     4.63     5.76  
画角          49.69    32.88    24.00  
像高          13.66    13.66    13.66  
レンズ全長    87.44    74.91    74.94  
BF             9.99    17.63    25.27  
d 6           29.29     9.12     1.50  
d18            9.99    17.63    25.27  
入射瞳位置    20.96    17.80    15.91  
射出瞳位置   -12.86   -12.86   -12.86  
前側主点位置  26.67    24.28    21.90  
後側主点位置  -1.60    -3.50    -5.41  
ズームレンズ群データ
群  始面    焦点距離  レンズ構成長  前側主点位置  後側主点位置
L1    1     -25.43        21.25         4.13        -13.66
L2    7      20.35        26.91        -3.37        -19.63
単レンズデータ
レンズ  始面  焦点距離
1       1    -42.42
2       3    -28.71
3       5     52.23
4       7     16.21
5       8    -17.36
6      10     32.36
7      13     43.95
8      15     49.19
9      17    -22.27
（数値実施例２）
単位 mm
面データ
面番号       r        d      nd         vd       有効径
1          ∞       1.50                         53.77
2         27.608    1.50   1.77250    49.6       32.22
3         11.138    7.93                         21.61
4         47.119    1.50   1.69350    53.2       21.10
5*        12.124    4.50                         18.79
6         21.629    1.80   2.00069    25.5       17.97
7         40.964  (可変)                         17.51
8          8.813    1.60   1.55332    71.7        6.74
9         64.475    1.50                          5.97
10(絞り)    ∞       1.60                          5.49
11*        61.951    1.10   1.85135    40.1        5.26
12        -33.782    0.80   1.80809    22.8        5.57
13         30.157    1.20                          5.91
14        -27.676    1.95   1.55332    71.7        6.61
15         -9.737  (可変)                          7.45
16        -34.407    1.10   1.49700    81.5       10.62
17        -18.616    0.80                         10.99
18*       -21.445    1.05   1.85135    40.1       11.36
19       -245.251  (可変)                         12.51
像面        ∞   
非球面データ
第5面
K = 0.00000e+000  A 4=-5.61634e-005  A 6=-7.72688e-007  A 8= 4.07497e-009  A10=-5.70449e-011  
第11面
K = 0.00000e+000  A 4=-3.44048e-004  A 6= 2.16881e-006  A 8=-7.15566e-007  A10= 3.52773e-008  
第18面
K =-4.93348e+000  A 4=-1.70290e-004  A 6=-3.35032e-007  A 8= 2.72979e-009  A10=-1.61861e-010  
各種データ
ズーム比      1.91 
広角     中間     望遠
焦点距離       9.27    13.35    17.70  
Fナンバー      4.12     4.84     5.57  
画角          55.84    45.67    37.66  
像高          13.66    13.66    13.66  
レンズ全長    61.48    56.10    54.43  
BF            10.29    13.62    16.52  
d 7           14.96     6.02     0.79  
d15            4.80     5.03     5.69  
d19           10.29    13.62    16.52  
入射瞳位置    15.11    13.70    12.54  
射出瞳位置   -10.39   -10.53   -10.92  
前側主点位置  20.23    19.68    18.82  
後側主点位置   1.02     0.28    -1.18  
ズームレンズ群データ
群  始面    焦点距離  レンズ構成長  前側主点位置  後側主点位置
L1    1     -17.25        18.73         4.04        -13.00
L2    8      14.57         9.75         3.50         -5.87
L3   16     -42.27         2.95         1.41         -0.68
単レンズデータ
レンズ  始面  焦点距離
1       1    -25.17
2       4    -23.96
3       6     43.75
4       8     18.26
5      11     25.81
6      12    -19.61
7      14     26.14
8      16     79.77
9      18    -27.66
（数値実施例３）
単位 mm
面データ
面番号       r        d      nd         vd       有効径
1         35.223    1.80   1.80400    46.6       43.50
2         17.614    8.05                         32.61
3         52.987    1.70   1.83481    42.7       32.89
4         18.341    1.30                         28.20
5         21.272    2.80   1.52996    55.8       28.21
6*        19.149    4.70                         27.36
7         24.476    2.55   1.92286    20.9       27.16
8         41.709  (可変)                         26.75
9          ∞       0.00                          9.28
10*        15.515    3.05   1.76802    49.2       10.90
11        -64.115    0.90   1.69895    30.1       10.04
12         16.147    1.10                          9.19
13         23.587    1.85   1.48749    70.2        8.84
14       -356.721    1.30                          8.35
15(絞り)    ∞       1.44                          8.25
16         33.956    1.15   1.48749    70.2        8.34
17       -163.597  (可変)                          8.52
18        402.983    1.00   1.54814    45.8       13.33
19         12.557    4.50   1.58313    59.4       14.37
20*       -27.201    2.15                         14.78
21        -15.958    1.20   1.88300    40.8       15.07
22        -50.675  (可変)                         16.60
像面        ∞   
非球面データ
第6面
K = 0.00000e+000  A 4=-1.62054e-005  A 6=-5.07044e-008  A 8= 3.07111e-011  A10=-1.05838e-012  
第10面
K = 0.00000e+000  A 4=-2.17585e-005  A 6=-9.99584e-008  A 8= 3.25897e-009  A10=-8.89741e-011  
第20面
K =-1.66736e+000  A 4= 5.40659e-005  A 6= 1.90734e-007  A 8= 1.15066e-009  
各種データ
ズーム比      2.66 
広角     中間     望遠
焦点距離      11.71    21.45    31.13  
Fナンバー      3.52     4.64     5.76  
画角          49.40    32.49    23.69  
像高          13.66    13.66    13.66  
レンズ全長    93.46    78.51    77.74  
BF             9.00    16.90    24.87  
d 8           32.02     9.41     0.97  
d17            9.90     9.66     9.36  
d22            9.00    16.90    24.87  
入射瞳位置    22.24    18.81    16.76  
射出瞳位置   -14.40   -14.24   -14.05  
前側主点位置  28.09    25.49    22.99  
後側主点位置  -2.71    -4.54    -6.26  
ズームレンズ群データ
群  始面    焦点距離  レンズ構成長  前側主点位置  後側主点位置
L1    1     -27.29        22.90         4.00        -15.42
L2    9      22.62        10.79         2.60         -6.36
L3   18    -102.41         8.85        12.01          5.15
単レンズデータ
レンズ  始面  焦点距離
1       1    -45.91
2       3    -34.37
3       5   -666.67
4       7     59.93
5      10     16.54
6      11    -18.37
7      13     45.46
8      16     57.79
9      18    -23.67
10      19     15.37
11      21    -26.81
（数値実施例４）
単位 mm
面データ
面番号       r        d      nd         vd       有効径
1          ∞       1.50                         55.42
2         29.766    1.70   1.77250    49.6       34.86
3         12.904    8.45                         24.49
4         67.516    1.60   1.69350    53.2       23.91
5*        13.219    3.86                         20.85
6         20.201    2.50   2.00069    25.5       20.67
7         39.536  (可変)                         20.10
8*        44.652    2.30   1.85135    40.1        8.29
9        -15.356    0.80   1.80809    22.8        7.62
10       -240.213    1.20                          7.08
11(絞り)    ∞       1.20                          6.25
12        -29.889    1.75   1.55332    71.7        6.24
13        -10.756    8.46                          6.57
14        -29.348    1.50   1.55332    71.7       11.11
15        -14.471  (可変)                         11.54
16        -88.900    2.90   1.49700    81.5       12.31
17        -11.792    0.90                         12.65
18*       -12.275    1.20   1.85135    40.1       12.46
19      -3195.112  (可変)                         14.11
像面        ∞   
非球面データ
第5面
K = 0.00000e+000  A 4=-3.25738e-005  A 6=-2.68621e-007  A 8= 8.63287e-010  A10=-1.67770e-011  
第8面
K = 0.00000e+000  A 4=-1.37011e-004  A 6= 5.69823e-007  A 8=-1.15320e-007  A10= 2.17584e-009  
第18面
K =-9.48461e-001  A 4=-1.74518e-004  A 6=-8.80481e-007  A 8=-9.80786e-010  A10=-1.02309e-010  
各種データ
ズーム比      1.91 
広角     中間     望遠
焦点距離      10.30    14.91    19.66  
Fナンバー      4.12     4.85     5.57  
画角          52.98    42.50    34.80  
像高          13.66    13.66    13.66  
レンズ全長    71.41    64.68    62.62  
BF            10.01    14.07    17.87  
d 7           18.23     7.65     1.73  
d15            1.35     1.14     1.20  
d19           10.01    14.07    17.87  
入射瞳位置    17.46    15.55    14.03  
射出瞳位置   -12.88   -12.80   -12.82  
前側主点位置  23.12    22.19    21.10  
後側主点位置  -0.29    -0.84    -1.78  
ズームレンズ群データ
群  始面    焦点距離  レンズ構成長  前側主点位置  後側主点位置
L1    1     -21.03        19.61         4.45        -12.80
L2    8      16.34        17.21         7.76         -9.94
L3   16     -32.77         5.00         3.58          0.08
単レンズデータ
レンズ  始面  焦点距離
1       1    -30.84
2       4    -23.99
3       6     38.77
4       8     13.66
5       9    -20.33
6      12     29.41
7      14     49.80
8      16     27.02
9      18    -14.48
（数値実施例５）
単位 mm
面データ
面番号       r        d      nd         vd       有効径
1         33.332    1.50   1.58313    59.4       37.70
2*        11.451    9.86                         25.15
3        134.730    1.50   1.69680    55.5       23.95
4         12.988    4.50                         19.24
5         18.872    2.02   2.00069    25.5       18.75
6         31.454  (可変)                         18.20
7         31.454    1.53   1.48749    70.2        9.10
8        -44.552    0.80                          8.56
9*        13.985    1.49   1.85135    40.1        7.12
10         70.343    0.80   1.80809    22.8        6.28
11         14.270    1.34                          5.51
12(絞り)    ∞       0.00                          5.45
13          ∞       0.00                          5.45
14          ∞     (可変)                          5.45
15         26.468    1.75   1.55332    71.7        6.91
16*       -62.340  (可変)                          7.57
17         31.524    3.15   1.49700    81.5        9.00
18        -13.193    1.50                          9.62
19*       -17.788    1.05   1.85135    40.1        9.76
20         59.368  (可変)                         10.80
像面        ∞   
非球面データ
第2面
K =-5.55956e-001  A 4= 1.91491e-005  A 6= 1.89976e-007  A 8=-9.61235e-010  A10= 8.08736e-012  
第9面
K = 0.00000e+000  A 4=-5.79510e-005  A 6=-3.23390e-007  A 8=-5.05119e-008  A10= 2.58164e-009  
第16面
K = 0.00000e+000  A 4=-1.02970e-004  A 6=-1.59914e-006  
第19面
K = 6.23540e+000  A 4=-1.49693e-004  A 6=-7.34816e-007  A 8= 1.27468e-008  A10= 4.18530e-010  
各種データ
ズーム比      1.91 
広角     中間     望遠
焦点距離       9.27    13.19    17.71  
Fナンバー      4.12     4.86     5.70  
画角          55.84    45.99    37.65  
像高          13.66    13.66    13.66  
レンズ全長    64.67    60.18    58.96  
BF            12.90    16.88    20.85  
d 6           14.46     5.99     0.80  
d14            2.80     3.14     2.74  
d16            1.72     1.38     1.78  
d20           12.90    16.88    20.85  
入射瞳位置    15.20    14.02    13.03  
射出瞳位置    -8.06    -8.11    -8.05  
前側主点位置  20.37    20.25    19.89  
後側主点位置   3.63     3.68     3.15  
ズームレンズ群データ
群  始面    焦点距離  レンズ構成長  前側主点位置  後側主点位置
L1    1     -16.74        19.38         4.13        -12.85
L2    7      27.94         5.96        -1.25         -5.33
L3   15      33.82         1.75         0.34         -0.80
L4   17    -332.99         5.70        48.74         38.94
単レンズデータ
レンズ  始面  焦点距離
1       1    -30.69
2       3    -20.73
3       5     43.65
4       7     38.07
5       9     20.26
6      10    -22.29
7      15     33.82
8      17     19.16
9      19    -15.98
（数値実施例６）
単位 mm
面データ
面番号       r        d      nd         vd       有効径
1         29.883    1.75   1.88300    40.8       38.76
2         16.089    9.32                         29.66
3         90.441    1.75   1.76802    49.2       29.10
4*        17.634    6.50                         25.74
5         26.134    3.45   1.92286    20.9       25.76
6         48.840  (可変)                         24.89
7(絞り)    ∞       2.75                         11.94
8*        25.184    2.80   1.76802    49.2       12.51
9        -52.849    0.90   1.69895    30.1       12.33
10         21.048    0.10                         12.07
11         16.376    3.90   1.48749    70.2       12.16
12        -30.452    2.40                         11.91
13        -13.884    1.85   1.48749    70.2       11.22
14        -13.869  (可変)                         11.31
15         55.079    2.40   1.55332    71.7       14.62
16*       -28.034    3.05                         14.70
17        -17.373    1.23   1.88300    40.8       14.59
18        809.002  (可変)                         15.74
19        190.001    2.40   1.91082    35.3       26.80
20        -95.530  (可変)                         27.00
像面        ∞   
非球面データ
第4面
K = 0.00000e+000  A 4=-1.33114e-005  A 6=-5.06760e-008  A 8= 3.27090e-011  A10=-1.06477e-012  
第8面
K = 0.00000e+000  A 4=-2.60691e-005  A 6=-4.82980e-008  A 8=-9.38234e-010  A10= 5.57195e-012  
第16面
K =-6.67914e-002  A 4= 5.79039e-005  A 6= 3.06006e-008  A 8= 2.82534e-009  
各種データ
ズーム比      2.64 
広角     中間     望遠
焦点距離      11.80    21.53    31.16  
Fナンバー      2.88     4.32     5.76  
画角          49.18    32.39    23.67  
像高          13.66    13.66    13.66  
レンズ全長    98.92    87.08    88.22  
BF             1.55     1.55     1.55  
d 6           31.31    10.69     3.05  
d14           10.96    10.82    10.51  
d18            8.55    17.47    26.57  
d20            1.55     1.55     1.55  
入射瞳位置    20.14    16.72    14.65  
射出瞳位置   -42.99   -71.77  -121.09  
前側主点位置  28.82    31.92    37.89  
後側主点位置-10.25   -19.98   -29.61  
ズームレンズ群データ
群  始面    焦点距離  レンズ構成長  前側主点位置  後側主点位置
L1    1     -25.20        22.77         3.64        -16.49
L2    7      24.02        14.70         5.80         -6.27
L3   15     -58.90         6.68        12.02          5.59
L4   19      70.07         2.40         0.84         -0.42
単レンズデータ
レンズ  始面  焦点距離
1       1    -41.97
2       3    -28.82
3       5     56.77
4       8     22.56
5       9    -21.43
6      11     22.46
7      13    636.02
8      15     33.93
9      17    -19.25
10      19     70.07
【００８３】
【表１】
2017219644.tif 000003
【符号の説明】
【００８４】
Ｌ１  第１レンズ群、Ｌ２  第２レンズ群、Ｌ３  第３レンズ群、Ｓ  Ｓ開口絞り、
ＩＰ  像面、ｄ  ｄ線、ｇ  ｇ線、ΔＳ  サジタル像面、ΔＭ  メリディオナル像面
【図１】
2017219644.tif 000004
【図２】
2017219644.tif 000005
【図３】
2017219644.tif 000006
【図４】
2017219644.tif 000007
【図５】
2017219644.tif 000008
【図６】
2017219644.tif 000009
【図７】
2017219644.tif 000010
【図８】
2017219644.tif 000011
【図９】
2017219644.tif 000012
【図１０】
2017219644.tif 000013
【図１１】
2017219644.tif 000014
【図１２】
2017219644.tif 000015
【図１３】
2017219644.tif 000016
【図１４】
2017219644.tif 000017
【図１５】
2017219644.tif 000018
【図１６】
2017219644.tif 000019
【図１７】
2017219644.tif 000020
【図１８】
2017219644.tif 000021